(57)【特許請求の範囲】
【請求項１】
内容物を収容したパウチと、このパウチを収容した外装箱とから成り、外装箱にパウチを収容したまま電子レンジ中で加熱して調理する包装体であって、
前記外装箱の上面板に開口脆弱線が設けられており、この開口脆弱線とその両端を結ぶ線とで囲まれた領域を開口用タブとして、この開口用タブにより蒸気放出部が構成されており、
前記パウチが電子レンジ加熱に伴って発生する蒸気を排出する蒸気抜き部を有すると共に、前記外装箱がこの蒸気抜き部を外面から透視できる透視窓を前記開口用タブの外側の領域に有することを特徴とする電子レンジ加熱用包装体。
【請求項２】
前記透視窓が、外装箱に設けられた貫通孔と、この貫通孔を覆って接着された透明フィルムとから成ることを特徴とする請求項１に記載の電子レンジ加熱用包装体。
【請求項３】
前記透明フィルムが耐熱性を有することを特徴とする請求項２に記載の電子レンジ加熱用包装体。
【請求項４】
前記外装箱が、電子レンジ加熱に伴うパウチの膨張又は蒸気の圧力により開口する蒸気放出部を有することを特徴とする請求項１〜３のいずれかに記載の電子レンジ加熱用包装体。
【請求項５】
前記外装箱が、パウチの蒸気抜き部の下に位置し、包装体を傾斜させる枕部を有することを特徴とする請求項１〜４のいずれかに記載の電子レンジ加熱用包装体。
【請求項６】
前記外装箱が紙又は紙を含む積層体で構成されていることを特徴とする請求項１〜５のいずれかに記載の電子レンジ加熱用包装体。
【発明の詳細な説明】
【技術分野】
【０００１】
本発明は、内容物を収容したパウチを更に外装箱に収容して、この外装箱からパウチを取り出すことなく電子レンジで加熱して調理する包装体に関するものである。
【背景技術】
【０００２】
カレー等の内容物を収容したパウチであって、これら内容物を取り出すことなく、そのまま、すなわち、パウチに収容したまま電子レンジで加熱調理する包装体はよく知られている。このようなパウチは、その一部に蒸気抜き部を有することが通常である。この蒸気抜き部は電子レンジ加熱の前には閉じており、したがって、内容物はパウチ内部に密封されている。そして、このまま電子レンジで加熱すると、加熱に伴って蒸気が発生し、パウチの内部圧力が高まることから、蒸気抜き部が開いて蒸気をパウチの外に放出する。
【０００３】
このような蒸気抜き部の構造は数多くの種類が知られているが、いずれの構造であっても、電子レンジ加熱する際には、蒸気抜き部がパウチの上方に位置するようにパウチを載置する必要がある。仮に蒸気抜き部を上方に位置するように置かないと、電子レンジ加熱によって開いた蒸気抜き部から内容物が洩れ、あるいは内部圧力によって噴出することがあるのである。
【０００４】
ところで、このようにパウチのまま電子レンジ加熱すると、内容物の温度が上昇し、その高温がそのままパウチ外面に伝わるから、このパウチも高温に加熱される結果となる。
【０００５】
そこで、このパウチを更に紙箱等の外装箱に収容し、この外装箱のまま電子レンジ加熱する包装体も知られている。外装箱のまま電子レンジ加熱すると、紙箱は断熱性に優れているからその外面が高温にならず、安全に電子レンジから取り出すことができる。
【０００６】
このように内容物入りパウチを外装箱に収容して、そのまま電子レンジ加熱する場合にも、蒸気抜き部がパウチの上方に位置するように電子レンジ中に載置する必要がある。そこで、特許文献１は、電子レンジ中に載置して加熱したとき、パウチ内部の圧力上昇に伴って蒸気抜き部がパウチの上方に移動する包装体を開示している。
【０００７】
この特許文献１に記載の包装体は、図８（ａ）及び（ｂ）のような構造を有するものである。すなわち、その外装箱１は直方体の形状を有し、上面板１１の一部に開口脆弱線１１ａが設けられている。この開口脆弱線１１ａは、上面板１１と側面板１４との境界１ｎを始点として上面板１１の内部を通り、再び上面板１１と側面板１４との境界１ｎに達する線である。そして、この開口脆弱線１１ａと前記境界１ｎで囲まれた略台形状の領域を開口用タブ１１２として、この開口用タブ１１２に蒸気抜き部２ａが対面するようにパウチ２が収容されている。
【０００８】
そこで、この包装体を電子レンジ中に置いて加熱すると、図９（ａ）及び（ｂ）に示すように、加熱に伴う蒸気の発生により、パウチ２の内圧が高まって膨張し、また、蒸気抜き部２ａが開いて蒸気が放出され、これらパウチ２の膨張圧力や蒸気の放出圧力によって開口脆弱線１１ａが破断して、前記開口用タブ１１２が押し上げられて外装箱１が開口する。そして、この開口部１１ｂからパウチ２の膨張部位が上方に移動し、この上方に移動した部位に配置された蒸気抜き部２ａから蒸気がパウチ２の外部に放出され、開口部１１ｂから外装箱１の外に放出される。このため、電子レンジ内部に載置する前に何らの加工を加えることなく、そのまま電子レンジ加熱しても、加熱による膨張あるいは蒸気の放出に伴って、蒸気抜き部２ａが上方に移動するのである。
【先行技術文献】
【特許文献】
【０００９】
【特許文献１】特許第５０６２４０９号公報
【発明の概要】
【発明が解決しようとする課題】
【００１０】
このように、特許文献１に記載の包装体は、電子レンジ加熱に伴ってパウチの蒸気抜き部が上方に移動するため、内容物が洩れたり噴出したりすることがなく、しかも、外装箱のまま電子レンジ加熱することができるから、外装箱が高温になることなく、電子レンジから安全に取り出すことができる、という利点がある。
【００１１】
しかしながら、この包装体であっても、電子レンジから包装体を取り出す際に、誤って傾けることにより、内容物がこぼれることもある。
【００１２】
そこで、本発明は、内容物を収容したパウチを更に外装箱に収容して成る包装体であって、誤って内容物がこぼれるおそれのない包装体を提供することを目的とする。
【課題を解決するための手段】
【００１３】
すなわち、請求項１に記載の発明は、内容物を収容したパウチと、このパウチを収容した外装箱とから成り、外装箱にパウチを収容したまま電子レンジ中で加熱して調理する包装体であって、
前記外装箱の上面板に開口脆弱線が設けられており、この開口脆弱線とその両端を結ぶ線とで囲まれた領域を開口用タブとして、この開口用タブにより蒸気放出部が構成されており、
前記パウチが電子レンジ加熱に伴って発生する蒸気を排出する蒸気抜き部を有すると共に、前記外装箱がこの蒸気抜き部を外面から透視できる透視窓を前記開口用タブの外側の領域に有することを特徴とする電子レンジ加熱用包装体である。
【００１４】
次に、請求項２に記載の発明は、前記透視窓が、外装箱に設けられた貫通孔と、この貫通孔を覆って接着された透明フィルムとから成ることを特徴とする請求項１に記載の電子レンジ加熱用包装体である。
【００１５】
また、請求項３に記載の発明は、前記透明フィルムが耐熱性を有することを特徴とする請求項２に記載の電子レンジ加熱用包装体である。
【００１６】
また、請求項４に記載の発明は、前記外装箱が、電子レンジ加熱に伴うパウチの膨張又は蒸気の圧力により開口する蒸気放出部を有することを特徴とする請求項１〜３のいずれかに記載の電子レンジ加熱用包装体である。
【００１９】
また、請求項５に記載の発明は、前記外装箱が、パウチの蒸気抜き部の下に位置し、包装体を傾斜させる枕部を有することを特徴とする請求項１〜４のいずれかに記載の電子レンジ加熱用包装体である。
【００２０】
また、請求項６に記載の発明は、前記外装箱が紙又は紙を含む積層体で構成されていることを特徴とする請求項１〜５のいずれかに記載の電子レンジ加熱用包装体である。
【発明の効果】
【００２１】
本発明によれば、外装箱がパウチの蒸気抜き部を外面から透視できる透視窓を有するから、この蒸気抜き部の位置が明らかである。このため、電子レンジから取り出す際にも誤って傾けて、内容物をこぼすことを防ぐことができる。
【図面の簡単な説明】
【００２２】
【図１】図１は本発明の包装体の第一の実施形態に係り、図１（ａ）は説明用斜視図であり、図１（ｂ）は説明用断面図である。
【図２】図２（ａ）〜（ｆ）は、それぞれ、透視窓の例を示す説明用平面図である。
【図３】図３は本発明の包装体の第一の実施形態の使用方法を説明するもので、図３（ａ）は説明用斜視図であり、図３（ｂ）は説明用断面図である。
【図４】図４は本発明の第一の実施形態に係る外装箱のブランクを示す展開図である。
【図５】図５は本発明の包装体の第二の実施形態に係り、図５（ａ）は説明用斜視図であり、図５（ｂ）は説明用断面図である。
【図６】図６は本発明の第二の実施形態に係る外装箱のブランクを示す展開図である。
【図７】図７（ａ）〜（ｄ）は、それぞれ、パウチの例を示す説明用正面図である。
【図８】図８は従来の包装体に係り、図８（ａ）は説明用斜視図であり、図８（ｂ）は説明用断面図である。
【図９】図９は従来の包装体の使用方法を説明するもので、図９（ａ）は説明用斜視図であり、図９（ｂ）は説明用断面図である。
【発明を実施するための形態】
【００２３】
以下、図面を参照して、本発明の具体例を説明する。図１は本発明の第一の具体例に係り、図１（ａ）はその説明用斜視図であり、図１（ｂ）は説明用断面図である。なお、これら各図面はいずれも説明のためのもので、正確し図示したものではない。
【００２４】
図１（ａ）及び（ｂ）に示すように、本発明の包装体は、内容物３を収容したパウチ２と、このパウチを収容した外装箱１とを必須の構成要素とするものである。パウチ２には電子レンジ加熱に伴って発生する蒸気を排出する蒸気抜き部２ａが設けられている。この蒸気抜き部２ａの構造については後述する。また、外装箱１には、蒸気抜き部２ａを外面から透視できる透視窓が設けられている。この例では、外装箱１に貫通孔１１３を設け、この貫通孔１１３を透明フィルム４で覆って接着することにより透視窓を設けている。透明フィルム４は耐熱性を有するものが好ましく、例えば二軸延伸ポリエステルフィルムを使用することができる。
【００２５】
この例では、貫通孔１１３は円形状を有しているが、任意の形状の貫通孔１１３を使用することができる。図２は種々の貫通孔１１３の例である。すなわち、図２（ａ）は円形状の貫通孔１１３、図２（ｂ）は長円形状の貫通孔１１３、図２（ｃ）は多角形状の貫通孔１１３、図２（ｄ）は十字形状の貫通孔１１３、図２（ｅ）は平行四辺形状の貫通孔１１３、図２（ｆ）は雲形の貫通孔１１３の例である。
【００２６】
そして、この例では、外装箱１の上面板１１に開口脆弱線１１ａが設けられている。この開口脆弱線１１ａは、上面板１１と側面板１４との境界１ｎを始点として上面板１１の内部を通り、再び上面板１１と側面板１４との境界１ｎに達する線であり、この開口脆弱線１１ａと前記境界１ｎで囲まれた領域を開口用タブ１１２として、この開口脆弱線１１ａと開口用タブ１１２とで蒸気放出部を構成している。もっとも、この開口脆弱線１１ａは上面板１１を開口用タブ１１２とその外側の領域１１１との区分するものであり、その始点及び終点が前記境界１ｎに位置する必要はない。開口脆弱線１１ａとその両端を結ぶ
線とで囲まれた領域を開口用タブ１１２として、その他の領域１１１と区分できれば十分である。同じ理由から、開口脆弱線１１ａを曲線と直線とを繋げて構成する必要もない。例えば、直線同士を繋げて構成してもよいし、曲線のみで構成してもよい。
【００２７】
ところで、パウチ２の蒸気抜き部２ａをこの開口用タブ１１２に対面する位置に配置することもできるが、開口用タブ１１２の外側の領域１１１に対面する位置に設けることもできる。この例は、蒸気抜き部２ａを外側の領域１１１に対面する位置に設けたものである。電子レンジ加熱したときにパウチ２の蒸気抜き部２ａから蒸気が放出されるため、この蒸気抜き部２ａの周辺は蒸気によって直接加熱されて高温になるが、蒸気抜き部２ａを開口用タブ１１２の外側の領域１１１に対面する位置に設けた場合、後述する開口部１１ｂから露出した部位には蒸気抜き部２ａがないため高温にならず、この部位をつかんで安全にパウチ２を外装箱１から取り出すことができる。そして、これに伴い、透視窓も外側の領域１１１に対面する位置に設けられている。そして、このように蒸気抜き部２ａが開口用タブ１１２に対面する位置に配置されていない場合であっても、電子レンジ加熱に伴うパウチ２の膨張圧力により、開口脆弱線１１ａが破断して開口用タブ１１２が押し上げられ、開口部１１ｂが開いて蒸気を外装箱１の外側に放出することができる。
【００２８】
この包装体は、図３に示すような方法で使用することができる。すなわち、まず、透視窓から蒸気抜き部２ａを確認し、この蒸気抜き部２ａが上面側に位置するように電子レンジ中に載置する。そして、電子レンジ加熱すると、加熱に伴う蒸気の発生により、パウチ２の内圧が高まって膨張し、また、蒸気抜き部２ａが開いて蒸気が放出され、これらパウチ２の膨張圧力によって、あるいはこれに加えて蒸気の放出圧力によって開口脆弱線１１ａが破断して、前記開口用タブ１１２が押し上げられて外装箱１が開口する。そして、この開口部１１ｂから外装箱１の外に放出される。
【００２９】
外装箱１は図４に示すブランクを組み立てて製造することができる。すなわち、このブランクは、側面板１４、上面板１１、側面板１２、底面板１３をこの順に連接した構造を有しており、それぞれの板１４、１１、１２、１３の間には折り曲げ線が設けられている。また、上面板１１には内側側面板１５ａ，１６ａが設けられており、底面板１３には外側側面板１５ｂ，１６ｂが設けられている。また、上面板１１には開口脆弱線１１ａが設けられて、この開口脆弱線１１ａによって開口用タブ１１２がその他の領域１１１と区分されている。また、これら各板１４、１２、１３には、接着片１４ｘ、１４ｙ、１２ｘ、１２ｙ、１３ｘが設けられている。
【００３０】
このブランクの組み立て方法は次のとおりである。すなわち、まず、接着片１３ｘの外側に側面板１４が重なるようにサック貼りして筒状とする。次に、この筒状ブランクを立ち上げ、内側側面板１５ａの外側に外側側面板１５ｂが重なるように接着して一方の側面を形成する。そして、開口した側面を入り口として、パウチ２を自動充填し、最後に、内側側面板１６ａの外側に外側側面板１６ｂが重なるように接着してこの側面を塞ぐことにより、外装箱１を組み立てることができる。
【００３１】
次に、図５（ａ）及び（ｂ）は、本発明の包装体の第二の具体例を示すもので、外装箱１が枕部１７を有する他は第一の具体例と同一である。説明の便宜のため、まず、そのブランクについて説明すると、図６に示すように、そのブランクには、透視窓１１３に近い方の外側側面板１５ｂに、折り返し板１７１、支持板１７２、差込板１７３がこの順に連接されており、これら折り返し板１７１、支持板１７２、差込板１７３の間には折り曲げ線が設けられている。また、底面板１３には差込用切込み１３ａが設けられている。そして、図５（ｂ）に示すように、折り返し板１７１を折り返して外側側面板１５ｂの外面に重ねると共に、下方向に突出させ、次に支持板１７２及び差込板１７３を順次折り曲げて、差込片１７３の先端を底面板１３の差込用切込み１３ａに差し込んで固定することにより、パウチ２の蒸気抜き部２ａの下に枕部１７を形成することができる。こうして枕部１７を形成した外装箱１を電子レンジ内部に載置すると、電子レンジの載置面に対して外装箱１が傾斜して載置されることになり、パウチ２の蒸気抜き部２ａが上方に位置することとなる。このため、電子レンジ加熱した際にも、この蒸気抜き部２ａから内容物３がこぼれることがないのである。
【００３２】
次に、この外装箱１は紙又は紙を含む積層体で構成することができる。紙としては、坪量２７０ｇ／ｍ２から３５０ｇ／ｍ２の範囲のコートボール紙又はカード紙を使用できる。また、紙を含む積層体としては、例えばポリエチレンをコートした紙を使用することができる。
【００３３】
次に、パウチ２としては、蒸気抜き部２ａを有するものであれば任意のパウチが使用できる。例えば、三方シール袋、四方シール袋、スタンディングパウチ、ガゼット袋などである。また、蒸気抜き部２ａの構造も任意でよい。図７（ａ）〜（ｄ）は蒸気抜き部２ａの構造の例を示すものである。
【００３４】
すなわち、図７（ａ）のパウチは四方シール袋で、その一部に閉曲線状のシール線を設け、この閉曲線状シール線の内部領域に貫通孔を形成して蒸気抜き部２ａ１としたものである。このパウチを電子レンジ加熱すると、パウチの膨張に伴って閉曲線状シール線が剥離し、その内部領域の貫通孔がパウチ内部と連接する。そして、この貫通孔から蒸気をパウチ外部に放出することができる。
【００３５】
また、図７（ｂ）のパウチはスタンディングパウチで、パウチ周辺のシール線２１ａをパウチの内方に屈曲させて蒸気抜き部２ａ２としたもので、電子レンジ加熱に伴う膨張によってこの屈曲部位のシール線が剥離し、パウチ側面から蒸気をパウチ外部に放出することができる。
【００３６】
図７（ｃ）のパウチは三方シール袋で、パウチ周辺のシール線を内方に屈曲させると共に、この屈曲部位に貫通孔２１ｂを設けて蒸気抜き部２ａ３としたもので、電子レンジ加熱に伴う膨張によってこの屈曲部位のシール線が剥離し、貫通孔から蒸気をパウチ外部に放出することができる。
【００３７】
また、図７（ｄ）のパウチはガゼット袋で、パウチに多数の貫通孔２ｂを設け、この貫通孔を被覆するテープ５を接着して蒸気抜き部２ａ４としたもので、電子レンジ加熱に伴う膨張によってテープ５が剥離して貫通孔２ｂがパウチ外側に露出し、この貫通孔から蒸気をパウチ外部に放出することができる。
【００３８】
パウチ２の材質は、蒸気や酸素を透過しないバリア性を有し、かつ、電子レンジ加熱に耐える耐熱性を有するものであればよい。例えば、外層から順に、無機酸化物を蒸着したポリエステル／ポリアミド／ポリプロピレンの層構成を有する積層体を使用することができる。また、ポリアミド／無水マレイン酸変性ポリエチレン／ポリアミド／ポリエチレン・酢酸ビニル共重合体鹸化物／無水マレイン酸変性ポリエチレン／ポリエチレンまた、ポリエチレン／ポリエチレンテレフタレート／アルミニウム箔／ポリエチレン／ポリアミド／ポリエチレンの層構成を有する積層体を使用することも可能である。また、ポリプロピレン／アルミニウム箔／ポリエチレン／ポリアミド／ポリエチレンの層構成を有する積層体や、ポリエチレンテレフタレート／アルミニウム箔／ポリエチレンの層構成を有する積層体を使用してもよい。
【実施例】
【００３９】
（実施例）
この例は、枕部１７を有する外装箱１を使用した例である。すなわち、そのブランクは図６の形状を有しており、組み立てた外装箱１は図５（ａ）の説明用斜視図及び図５（ｂ）の説明用断面図に示す形状を有している。また、パウチ２は図７（ｂ）に示すスタンディングパウチを使用した。
【００４０】
外装箱１の材質は、坪量３００ｇ／ｍｍ２のコートボール紙で、外側側面板１５ｂ，１６ｂの内面側、接着片１３ｘの内面側に接着剤を塗布した。また、差込板１７３にも接着剤を塗布したが、この接着剤は、枕部の組み立て前に、差込板１７３を上面板１１に仮接着しておくためのものである。なお、透視窓は、この紙に貫通孔を設け、この貫通孔を覆って透明なポリエステルフィルムを張り合わせて構成した。なお、図５（ａ）（ｂ）及び図６から分かるように、透視窓は開口用タブ１１２の外側の領域１１１に配置した。
【００４１】
また、パウチ２は、外層から、順次、無機酸化物を真空蒸着したポリエステルフィルム（厚さ１２μｍ）、印刷インキ、ポリアミド（厚さ１５μｍ）、無延伸ポリプロピレン（厚さ６０μｍ）を積層した積層体で構成したもので、その内容積は３００ｍｌである。
【００４２】
そして、このパウチ１に水２００ｍｌを充填し、空気が入らないように密封した後、パウチ１の蒸気抜き部２ａが透視窓に対面して、透視窓を通して外装箱１外面から蒸気抜き部２ａが透視できる位置関係となるようにパウチ１を外装箱に収容した。次に、この包装体を、男女各１０名に渡して、電子レンジ加熱を行い、その後、内容物をこぼしてしまう人がいたか否かを判定した。なお、電子レンジ加熱条件は５００Ｗ、３分である。そして、計２０名中、一人でもこぼした場合には×、だれもこぼさなかった場合には○と評価した。
【００４３】
また、水の代わりにカレー２００ｍｌをパウチに充填し、こぼすことがあるか否かについて、同様に判定した。これらの結果を後述する比較例と共に、表１に示す。
【００４４】
（比較例）
外装箱に透視窓を設けなかった他は実施例と同様に判定した。
【００４５】
【表１】
0006586771.tif 000002
【符号の説明】
【００４６】
１：外装箱
１１：上面板    １１１：開口用タブの外側の領域    １１２：開口用タブ    １１３：貫通孔    １１ａ：開口脆弱線    １１ｂ：開口部
１２：側面板    １２ｘ：接着片    １２ｙ：接着片
１３：底面板    １３ｘ：接着片    １３ａ：差込用切込み
１４：側面板    １４ｘ：接着片    １４ｙ：接着片
１５：側面板    １５ａ：内側側面板    １５ｂ：外側側面板
１６：側面板    １６ａ：内側側面板    １６ｂ：外側側面板
１７：枕部    １７１：折り返し板    １７２：支持板    １７３：差込板
１ｎ：上面板と側面板との境界
２：パウチ
２ａ：蒸気抜き部  ２ａ１〜２ａ４：蒸気抜き部
２１ａ：シール線    ２１ｂ：貫通孔
２ｂ：貫通孔
３：内容物
４：透明フィルム
５：テープ
【図１】
0006586771.tif 000003
【図２】
0006586771.tif 000004
【図３】
0006586771.tif 000005
【図４】
0006586771.tif 000006
【図５】
0006586771.tif 000007
【図６】
0006586771.tif 000008
【図７】
0006586771.tif 000009
【図８】
0006586771.tif 000010
【図９】
0006586771.tif 000011